(57)【要約】【課題】咬み合わせに悪影響を与えることなく、また、装着時の違和感がなく、簡単に着脱することが可能な睡眠時無呼吸症候群治療具を提供する。【解決手段】睡眠時無呼吸症候群を治療すべく頭部Ｈに装着される睡眠時無呼吸症候群治療具１において、中間部１１が頭部Ｈの中央を左右に横断し、左端部１２が左耳ＹＬの下方に位置し、右端部１３が右耳ＹＲの下方に位置する、弾性を有するヘッドバンド１０と、ヘッドバンド１０の左端部１２の内面側、及び右端部１３の内面側に取り付けられてヘッドバンド１０の弾性に基づいて左耳ＹＬの下方及び右耳ＹＲの下方を押圧することで下顎骨ＪＤの後端を前方に付勢するパッド２０と、を備える。【選択図】図１
2012071002.tif 000002
【特許請求の範囲】
【請求項１】
睡眠時無呼吸症候群を治療すべく頭部に装着される睡眠時無呼吸症候群治療具において、
中間部が頭部の中央を左右に横断し、左端部が左耳の下方に位置し、右端部が右耳の下方に位置する、弾性を有するヘッドバンドと、
前記ヘッドバンドの前記左端部の内面側、及び前記右端部の内面側に取り付けられて前記ヘッドバンドの弾性に基づいて前記左耳の下方及び前記右耳の下方を押圧することで下顎骨の後端を前方に付勢するパッドと、を備える、
ことを特徴とする睡眠時無呼吸症候群治療具。
【請求項２】
前記ヘッドバンドは、前記左端部及び前記右端部に長さ調整機構を有する、
ことを特徴とする請求項１に記載の睡眠時無呼吸症候群治療具。
【請求項３】
一方の端部が前記ヘッドバンドの左半部に連結され、中間部が前頭部又は後頭部を経由し、他方の端部が前記ヘッドバンドの右半部に連結される補助バンドを有する、
ことを特徴とする請求項１又は２に記載の睡眠時無呼吸症候群治療具。
【請求項４】
前記ヘッドバンドは、前記中間部が前記頭部の頭頂部近傍に位置し、前記左端部が前記左耳の左側方を上方から下方に延びて前記左耳の下方に位置し、前記右端部が前記右耳の右側方を上方から下方に延びて前記右耳の下方に位置する、
ことを特徴とする請求項１ないし３のいずれか１項に記載の睡眠時無呼吸症候群治療具。
【請求項５】
前記ヘッドバンドは、前記中間部が前記頭部の頭頂部近傍に位置し、前記左端部が前記左耳の前方を上方から下方に延びて前記左耳の下方に位置し、前記右端部が前記右耳の前方を上方から下方に延びて前記右耳の下方に位置する、
ことを特徴とする請求項１ないし３のいずれか１項に記載の睡眠時無呼吸症候群治療具。
【請求項６】
前記ヘッドバンドは、前記中間部が前記頭部の前頭部に位置し、前記左端部が前記左耳の後方に掛かるようにして前記左耳の下方に位置し、前記右端部が前記右耳の後方に掛かるようにして前記右耳の下方に位置する、
ことを特徴とする請求項１ないし３のいずれか１項に記載の睡眠時無呼吸症候群治療具。
【発明の詳細な説明】
【技術分野】
【０００１】
本発明は、睡眠時に発生する無呼吸症候群を治療するために頭部に装着する睡眠時無呼吸症候群治療具に関する。
【背景技術】
【０００２】
睡眠時無呼吸症候群には、閉塞型睡眠時無呼吸症候群、中枢型睡眠時無呼吸症候群、これらが混合した混合型睡眠時無呼吸症候群があるが、そのほとんどが閉塞型睡眠時無呼吸症候群であるといわれている。そして、この閉塞型睡眠時無呼吸症候群は、睡眠中の筋弛緩により舌根部や軟口蓋が下がって気道を閉塞することが主な原因であるといわれている。なお、いびきも略同様な原因である。
【０００３】
これら閉塞型睡眠時無呼吸症候群やいびきを治療するために、口腔内に装着する種々のマウスピースが提案され、また実践されている（例えば、特許文献１〜５参照）。これらは、口腔内に装着されて、主に上顎に対して下顎を前方に押し出すものである。
【先行技術文献】
【特許文献】
【０００４】
【特許文献１】特開２００６−９５２４５号公報
【特許文献２】特開２００６−２０９８６号公報
【特許文献３】特開２００５−３１２８５３号公報
【特許文献４】特開２００４−７３４７３号公報
【特許文献５】特許第４４８２３０２号
【発明の概要】
【発明が解決しようとする課題】
【０００５】
しかしながら、マウスピースは、上顎の歯列及び下顎の歯列の位置を規制するものであるため、長期的に使用すると、上顎や下顎と歯列との位置関係が変化して、上顎の歯列と下顎の歯列との咬み合わせが狂ったり、おかしくなったりするおそれがある。また、マウスピースは、口腔内に装着するものであるから、装着時に違和感があり、気軽に装着するというわけにはいかない。
【０００６】
本発明は、上述した事情に鑑みてなされたものであり、咬み合わせに悪影響を与えることなく、また、装着時の違和感がなく、簡単に着脱することが可能で、しかも顎関節症の治療にも役立つ、睡眠時無呼吸症候群治療具を提供することを目的とする。
【課題を解決するための手段】
【０００７】
請求項１に係る発明は、睡眠時無呼吸症候群を治療すべく頭部に装着される睡眠時無呼吸症候群治療具において、中間部が頭部の中央を左右に横断し、左端部が左耳の下方に位置し、右端部が右耳の下方に位置する、弾性を有するヘッドバンドと、前記ヘッドバンドの前記左端部の内面側、及び前記右端部の内面側に取り付けられて前記ヘッドバンドの弾性に基づいて前記左耳の下方及び前記右耳の下方を押圧することで下顎骨の後端を前方に付勢するパッドと、を備える、ことを特徴とする。
【０００８】
請求項２に係る発明は、請求項１に係る睡眠時無呼吸症候群治療具において、前記ヘッドバンドは、前記左端部及び前記右端部に長さ調整機構を有する、ことを特徴とする。
【０００９】
請求項３に係る発明は、請求項１又は２に係る睡眠時無呼吸症候群治療具において、一方の端部が前記ヘッドバンドの左半部に連結され、中間部が前頭部又は後頭部を経由し、他方の端部が前記ヘッドバンドの右半部に連結される補助バンドを有する、ことを特徴とする。
【００１０】
請求項４に係る発明は、請求項１ないし３のいずれか１項に係る睡眠時無呼吸症候群治療具において、前記ヘッドバンドは、前記中間部が前記頭部の頭頂部近傍に位置し、前記左端部が前記左耳の左側方を上方から下方に延びて前記左耳の下方に位置し、前記右端部が前記右耳の右側方を上方から下方に延びて前記右耳の下方に位置する、ことを特徴とする。
【００１１】
請求項５に係る発明は、請求項１ないし３のいずれか１項に係る睡眠時無呼吸症候群治療具において、前記ヘッドバンドは、前記中間部が前記頭部の頭頂部近傍に位置し、前記左端部が前記左耳の前方を上方から下方に延びて前記左耳の下方に位置し、前記右端部が前記右耳の前方を上方から下方に延びて前記右耳の下方に位置する、ことを特徴とする。
【００１２】
請求項６に係る発明は、請求項１ないし３のいずれか１項に係る睡眠時無呼吸症候群治療具において、前記ヘッドバンドは、前記中間部が前記頭部の前頭部に位置し、前記左端部が前記左耳の後方に掛かるようにして前記左耳の下方に位置し、前記右端部が前記右耳の後方に掛かるようにして前記右耳の下方に位置する、ことを特徴とする。
【発明の効果】
【００１３】
請求項１の発明によれば、睡眠時無呼吸症候群治療具は、頭部に装着してパッドによって耳の下を押圧することにより、下顎骨の後端を前方に付勢することができるので、舌根部や軟口蓋による気道の閉塞を防止することができる。また、睡眠時無呼吸症候群治療具は、口腔内に装着するものとは異なり、頭部に装着するので、簡単に違和感なく装着することができる。さらに、睡眠時に限らず昼間も装着することができ、しかも、装着したままでの飲食が可能である。しかも、顎関節症の治療にも役立つ。
【００１４】
請求項２の発明によれば、ヘッドバンドは、左端部及び右端部に長さ調整機構を有しているので、これを利用して長さを調整することにより、つまり、パッドの位置を調整することにより、マウスピースとは異なり、頭部のサイズの異なる複数の使用者が使用することができる。
【００１５】
請求項３の発明によれば、補助バンドにより、パッドの位置を確実に保持することができる。
【００１６】
請求項４の発明によれば、ヘッドバンドは、一般的なヘッドホンのように、簡素な形状とすることができる。また、ヘッドバンドが後頭部には無いので、例えば、上向けで睡眠する際の邪魔にならない。
【００１７】
請求項５の発明によれば、ヘッドバンドは、一般的なヘッドホンのように、簡素な形状とすることができ、また、左端部及び右端部が左耳及び右耳の前方に位置しているので、例えば、横向きで睡眠する際に邪魔になりにくい。さらに、ヘッドバンドが後頭部には無いので、例えば、上向けで睡眠する際の邪魔にならない。
【００１８】
請求項６の発明によれば、左端部及び右端部をそれぞれ左耳、右耳の後方に掛かるように構成することで、頭部に対するヘッドバンドのフィット感を高めて、パッドの位置を確実に保持することができる。また、ヘッドバンドが後頭部には無いので、例えば、上向けで睡眠する際の邪魔にならない。
【図面の簡単な説明】
【００１９】
【図１】（Ａ）は、使用者の頭部Ｈに装着された状態の睡眠時無呼吸症候群治療具１の正面図であり、（Ｂ）は、同じく右側面図である。
【図２】（Ａ）は、睡眠時無呼吸症候群治療具１が装着されない状態におけるパッド２０の押圧位置Ｐ１と下顎骨ＪＤとの位置関係を説明する図であり、（Ｂ）は、睡眠時無呼吸症候群治療具１が装着された状態におけるパッド２０の押圧位置Ｐ１と下顎骨ＪＤとの位置関係を説明する図である。
【図３】実施形態２の睡眠時無呼吸症候群治療具２を説明する斜視図である。
【図４】実施形態３の睡眠時無呼吸症候群治療具３を説明する斜視図である。
【発明を実施するための形態】
【００２０】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２１】
図１〜図２を参照して、本発明を適用した実施形態１に係る睡眠時無呼吸症候群治療具１について説明する。このうち、図１（Ａ）は、使用者の頭部Ｈに装着された状態の睡眠時無呼吸症候群治療具１の正面図であり、図１（Ｂ）は、同じく右側面図である。図２（Ａ）は、睡眠時無呼吸症候群治療具１が装着されない状態におけるパッド２０の押圧位置Ｐ１と下顎骨ＪＤとの位置関係を説明する図であり、図２（Ｂ）は、睡眠時無呼吸症候群治療具１が装着された状態におけるパッド２０の押圧位置Ｐ１と下顎骨ＪＤとの位置関係を説明する図である。
【００２２】
睡眠時無呼吸症候群治療具１は、図１（Ａ），（Ｂ）に示すように、ヘッドバンド１０と、左右のパッド２０，２０とを備えて構成されており、図示例ではさらに、補助バンド３１，３２を有している。
【００２３】
ヘッドバンド１０は、例えば、薄板状の部材を、正面視形状（正面から見た形状）が、頭部の外形に倣った略馬蹄形となるように湾曲させて形成されている。
【００２４】
ヘッドバンド１０は、使用者の頭部Ｈに装着された状態において、中間部１１が頭頂部ＨＴ近傍に配置され、左端部１２が左耳ＹＬの左側方を上方から下方に延びて左耳ＹＬの下方に位置し、右端部１３が右耳ＹＲの右側方を上方から下方に延びて右耳ＹＲの下方に位置している。これら左端部１２，右端部１３は、それぞれ左耳ＹＬ，右耳ＹＲに接触しないように構成すれば、頭部Ｈへの装着時に、違和感やうっとうしさを低減することができる。ヘッドバンド１０は、例えば、合成樹脂板を上述のように馬蹄形に湾曲させて成形することにより、弾性（可撓性）を有するように構成されている。合成樹脂板の外には、例えば、金属板を使用することも可能であり、この場合には、金属板における頭部Ｈとの接触部分をウレタン等の緩衝材で被覆するとよい。
【００２５】
左端部１２，右端部１３は、中間部１１とは別体に形成されていて、環状部（長さ調整機構）１４により、長さ調整が可能となっている。左端部１２，右端部１３は、略短冊状に形成されていて、長手方向の位置が異なる２箇所に、それぞれ環状部１４，１４が設けてある。左端部１２，右端部１３は、これら環状部１４，１４に、中間部１１の左端，右端が挿入されることにより、中間部１１によって支持されている。これにより、左端部１２，右端部１３は、中間部１１の左端，右端に対してスライド移動させることにより、長さ調整が可能となっている。
【００２６】
左右のパッド２０，２０は、ヘッドバンド１０の左端部１２，右端部１３の先端部（下端部）の内面に、内側に向けて取り付けられている。図示例では、パッド２０，２０は、涙型に形成されていて、尖った部位を内側に向けた姿勢で、左端部１２，右端部１３の先端部の内面に固定されている。パッド２０，２０は、左耳ＹＬ，右耳ＹＲの下方を、上述のヘッドバンド１０の弾性（可撓性）により、効率よく押圧できる部材、例えば、低反発性のクッション材や、軟質のゴム等を好適に使用することができる。なお、パッド２０の形状としては、上述の涙型の外に、円錐形状，角錐形状，半球状等があげられる。左右のパッド２０，２０は、上述のヘッドバンド１０の左端部１２，右端部１３の長さを調整することで、左耳ＹＬの下方，右耳ＹＲの下方の、押圧するのに好適な所定の押圧位置Ｐ１（図２参照）に配置することが可能である。
【００２７】
上側の補助バンド３１は、帯状の２本の面ファスナ３３，３４によって構成されている。面ファスナ３３，３４は、それぞれの基端部（後端部）がヘッドバンド１０の中間部１１に連結され、それぞれの先端部（前端部）を前頭部（額）ＨＦで重ね合わせて係合させることで、ヘッドバンド１０が好適な位置に配置されるようにするとともに、ヘッドバンド１０の頭部Ｈに対する装着後の不要な動きを抑制している。
【００２８】
下側の補助バンド３２は、帯状の２本の面ファスナ３５，３６によって構成されている。面ファスナ３５，３６は、それぞれの基端部（前端部）がヘッドバンド１０の中間部１１における上述の上側の補助バンド３１よりも下方に連結され、それぞれの先端部（後端部）を後頭部ＨＲで重ね合わせて係合させることで、ヘッドバンド１０が好適な位置に配置されるようにするとともに、ヘッドバンド１０の頭部Ｈに対する装着後の不要な動きを抑制している。
【００２９】
上述のように、補助バンド３１，３２は、面ファスナ３３〜３６によって構成されているので、係脱（着脱）が容易である。
【００３０】
上述構成の睡眠時無呼吸症候群治療具１は、以下のようにして、頭部Ｈに装着する。補助バンド３１，３２の面ファスナ３３，３４及び面ファスナ３５，３６を外した状態で、ヘッドバンド１０を、左端部１２及び右端部１３近傍を左右の手でそれぞれ持って広げ、頭部Ｈを通し、ヘッドバンド１０の中間部１１を頭頂部ＨＴ近傍に掛け、左端部１２が左耳ＹＬの側方を通過して左のパッド２０が左耳ＹＬの下方に位置し、また、右端部１３が右耳ＹＲの側方を通過して右のパッド２０が右耳ＹＲの下方に位置するようにする。そして、中間部１１に対して、左端部１２，右端部１３をスライド移動させて、パッド２０，２０の位置を調整して、押圧位置Ｐ１，Ｐ１に配置する。このパッド２０，２０の位置調整が終了したら、補助バンド３１，３２の面ファスナ３３，３４、面ファスナ３５，３６を係合させて、ヘッドバンド１０を固定する。これにより、左右のパッド２０，２０が、左耳ＹＬ及び右耳ＹＲの下方の押圧位置Ｐ１，Ｐ１を押圧する。このときの押圧力は、１５０〜４００ｇ程度が好適である。
【００３１】
このときの左のパッド２０による押圧位置Ｐ１は、図２（Ａ）中の楕円で示す部位であり、右のパッド２０による押圧位置Ｐ１は不図示であるが、頭部Ｈの中心を基準として、この左の押圧位置Ｐ１と対象となる位置である。つまり、左右のパッド２０，２０によって、頭部Ｈの外側（表面側）から頭蓋骨ＨＡと下顎骨ＪＤの後端縁ＪＤ１との間の間隙Ｇにパッド２０，２０を押しこむようにして、間隙Ｇを広げて下顎骨ＪＤの後端縁ＪＤ１を前方に付勢し、これにより、図２（Ｂ）に示すように、下顎骨ＪＤ全体を前方に移動させることができる。これに伴い、下顎骨ＪＤに支持されている舌Ｔ（図３参照）も前方に移動することになり、舌根によって閉鎖されていた気道を開放して呼吸を可能にし、無呼吸症候群を治療するとともに、いびきを防止することができる。以上のように、パッド２０，２０は、頭部Ｈの外側から、間隙Ｇに押し込まれるようにして間隙Ｇを広げつつ下顎骨ＪＤを前方に押し出すので、上述のようにパッド２０，２０の先端側（内側に位置する部位）を尖らせておくことが有効である。
【００３２】
また、睡眠時無呼吸症候群治療具１は、パッド２０，２０による、左耳ＹＬ，右耳ＹＲの下方のストレッチ効果もあり、この付随効果として、下顎骨ＪＤが左右均等に前方に移動するようになる。
【００３３】
さらに、睡眠時無呼吸症候群治療具１は、従来のマウスピースとは異なり、頭部Ｈの外側に装着するものであり、しかも、着脱が容易であるため、気軽に簡単に睡眠時無呼吸症候群の治療に供することができる。しかも、パッド２０，２０の位置を調整するための環状部（長さ調整機構）１４を設けているので、環状部１４を利用してパッド２０，２０の位置を調整することにより、頭部Ｈの大きさや形状の異なる複数の使用者が同一の睡眠時無呼吸症候群治療具１を使用することが可能である。
【００３４】
さらに加え、睡眠時無呼吸症候群治療具１は、顎関節症の治療にも役立つ。
【００３５】
なお、本実施形態においては、ヘッドバンド１０を、その左端部１２，右端部１３が、左耳ＹＬ，右耳ＹＲに接触しないように構成すれば、ヘッドバンド１０の装着時の違和感やうっとうしさを低減することができる。
【００３６】
本実施形態においては、ヘッドバンド１０は、例えば、使用者が後頭部ＨＲに枕（不図示）を当てて仰向けの姿勢で睡眠をとった際に、後頭部ＨＲと枕との間に挟まることが無いので、ヘッドバンド１０が睡眠の妨げとなるようなことはない。
【００３７】
＜実施形態２＞
図３を参照して、本発明を適用した実施形態２に係る睡眠時無呼吸症候群治療具２について説明する。なお、同図では人体の一部を破断して人体内部を示している。
【００３８】
睡眠時無呼吸症候群治療具２は、図３に示すように、上述の実施形態１の睡眠時無呼吸症候群治療具１とは、頭部Ｈに対するヘッドバンド４０の装着位置が異なる。すなわち、ヘッドバンド４０は、その中間部４１が頭頂部ＨＴ近傍に配置され、左端部４２が左耳ＹＬの前方を通って左耳ＹＬの下方まで延び、また、右端部４３が右耳ＹＲの前方を通って右耳ＹＲの下方まで延びるように構成されている。また、前側の補助バンド３７と後側の補助バンド３８とは、それぞれの基端部が、ヘッドバンド４０における略同じ位置に連結されるとともに、前者の前側の補助バンド３７は、中間部が前頭部ＨＦに掛けられ、後者の後側の補助バンド３８は、中間部が後頭部ＨＲに掛けられている。
【００３９】
なお、睡眠時無呼吸症候群治療具２は、左端部４２，右端部４３の長さ調整をするための構成や、パッド２０，２０の構成については、上述の睡眠時無呼吸症候群治療具１と同様であるため、環状部（長さ調整機構）等の図示は省略している。
【００４０】
本実施形態の睡眠時無呼吸症候群治療具２は、上述の実施形態１に係る睡眠時無呼吸症候群治療具１の作用・効果に加え、さらに、ヘッドバンド４０の左端部４２，右端部４３が、左耳ＹＬ，右耳ＹＲの前方を通っているので、例えば、横向きで睡眠する際に、左端部４２が左耳ＹＬに、または、右端部４３が右耳ＹＲに当たって邪魔になることを防止できる。
＜実施形態３＞
【００４１】
図４を参照して、本発明を適用した実施形態３に係る睡眠時無呼吸症候群治療具３について説明する。なお、同図では人体の一部を破断して人体内部を示している。
【００４２】
睡眠時無呼吸症候群治療具３は、図４に示すように、上述の実施形態１の睡眠時無呼吸症候群治療具１とは、頭部Ｈに対するヘッドバンド５０の装着位置が異なる。すなわち、ヘッドバンド５０は、その中間部５１が前頭部ＨＦ近傍に掛けられ、左端部５２が左耳ＹＬの後方に掛かるようにして湾曲して左耳ＹＬの下方まで延び、また、右端部５３が右耳ＹＲの後方に掛かるようにして湾曲して右耳ＹＲの下方まで延びるように構成されている。つまり、左端部５２，右端部５３は、一般的な眼鏡のフレームを掛けるようにして、左耳ＹＬ，右耳ＹＲに掛けられている。また、前側の補助バンド３９は、基端部が、ヘッドバンド５０に連結されるとともに、中間部が、前頭部ＨＦにおけるヘッドバンド５０の中間部５１よりも下方に掛けられている。また、後側の補助バンド６１は、基端部が、ヘッドバンド５０の中間部５１の先端近傍に連結されるとともに、中間部が、後頭部ＨＲと首Ｎとの境界近傍に掛けられている。
【００４３】
なお、睡眠時無呼吸症候群治療具３は、左端部５２，右端部５３の長さを調整をするための構成や、パッド２０，２０の構成については、上述の睡眠時無呼吸症候群治療具１と同様であるため、長さ調整機構等の図示は省略している。
【００４４】
本実施形態の睡眠時無呼吸症候群治療具３は、上述の実施形態１に係る睡眠時無呼吸症候群治療具１の作用・効果に加え、さらに、ヘッドバンド５０の左端部５２，右端部５３が、左耳ＹＬ，右耳ＹＲの後方に掛かるように構成されているので、頭部Ｈに対するヘッドバンド５０のフィット感を高めて、パッド２０，２０の位置を確実に保持することができる。また、ヘッドバンド５０が後頭部ＨＲには無いので、例えば、上向けで睡眠する際の邪魔にならない。
【００４５】
なお、以上では、左耳ＹＬ，右耳ＹＲに掛かる部位は、ヘッドバンド５０のうちの、左端部５２，右端部５３であるものとして説明したが、これに代えて、ヘッドバンド５０のうちの中間部５１の一部であってもよい。
【００４６】
以上の実施形態では、補助バンド３１，３２，３７，３８，３９，６１が、面ファスナで構成されている場合を例に説明したが、これに代えて、ゴムバンドで構成することも可能であり、この場合には構成を簡略化することができる。ただし、ゴムバンドを使用する場合には、その長さ調整を行う場合には、別途、調整機構を設ける必要がある。
【００４７】
なお、上述の実施形態では、ヘッドバンド１０，４０，５０の形状が、帯状部材を湾曲させたような形状のものである場合について説明したが、ヘッドバンド１０，４０，５０の形状については、これに限定されるものではない。例えば、ヘッドバンドの左端部及び右端部に略下方に延びる棒状のステイを固定し、このステイの下端に、パッド２０を固定するようにしてもよい。この場合、ステイも含めて、ヘッドバンドを構成していると考えることもできる。このように、ヘッドバンドの形状は、パッド２０を上述の所定の位置に有効に配置することができる限り、任意の形状とすることが可能である。
【００４８】
ここで、上述の実施形態１〜３で例示した本発明に係る睡眠時無呼吸症候群治療具は、顎関節症の治療装置としても有効である。顎関節は、蝶番運動ではなく、側頭骨関節窩を下顎骨関節突起の下顎頭が滑走するメカニズムである。開口時には、関節窩を逸脱するまで頭が前方へ滑走しながら開口していくのが正常な開口運動である。また、咀嚼時においては、右側咀嚼では特に左下顎頭が、左側咀嚼では特に右下顎頭が前方へと大きく滑走することになる。
【００４９】
しかし、顎関節症の多くは、この下顎頭の前方へのスムーズな滑走が制限されることにより、開口障害や咀嚼障害が生じることになる。
【００５０】
そこで、本発明に係る睡眠時無呼吸症候群治療具では、下顎枝を前方へ押しやることが基本構造となっているので、顎関節の滑走障害の改善効果が期待できるため、無呼吸症候群の改善のみならず、顎関節症の治療装置としても有効である。
【００５１】
実際、発明者の経営する歯科医院に於いて、顎関節症患者に使用したところ、その有効性を確認することができた。
【符号の説明】
【００５２】
１  実施形態１の睡眠時無呼吸症候群治療具
２  実施形態２の睡眠時無呼吸症候群治療具
３  実施形態３の睡眠時無呼吸症候群治療具
１０，４０，５０  ヘッドバンド
１１，４１，５１  中間部
１２，４２，５２  左端部
１３，４３，５３  右端部
１４  環状部（長さ調整機構）
２０  パッド
３１，３２，３７，３８，３９，６１  補助バンド
Ｈ  頭部
ＨＦ  前頭部
ＨＲ  後頭部
ＹＬ  左耳
ＹＲ  右耳
【図１】
2012071002.tif 000003
【図２】
2012071002.tif 000004
【図３】
2012071002.tif 000005
【図４】
2012071002.tif 000006